(57)【特許請求の範囲】
【請求項１】
少なくとも速度計を収納するメータケースを、前照灯を支える前照灯ブラケットと自動二輪車のトップブリッジとに掛け渡し、
前記前照灯ブラケット側の取付部に後方に開いたＵ溝を設け、
前記メータケースの前部を前記Ｕ溝に差し込み、
前記メータケースの後部を前記トップブリッジに取付けたことを特徴とする自動二輪車のメータケース取付け構造。
【請求項２】
前記メータケースは弾性部材を介して前照灯ブラケット並びにトップブリッジに取付け、且つその取付け箇所は前照灯ブラケットに少なくとも１ヶ所、トップブリッジに少なくとも１ヶ所、全部で少なくとも３ヶ所としたことを特徴とする請求項１記載の自動二輪車のメータケース取付け構造。
【請求項３】
前記メータケースを樹脂製の上ケースと下ケースとで形成し、上ケースと下ケースとの互いの合せ部からメータケースに対して一側方へそれぞれケースを張出して取付け部を形成し、この取付け部を前記トップブリッジに直接取付けたことを特徴とする請求項１又は請求項２記載の自動二輪車のメータケース取付け構造。
【発明の詳細な説明】
【０００１】
【発明の属する技術分野】
本発明は自動二輪車のメータケース取付け構造の改良に関する。
【０００２】
【従来の技術】
自動二輪車では、ハンドルポストの近傍に、速度計や回転計を納めたメータケースを配置しするが、メータケースの取付け構造には、例えば▲１▼特開昭５６−９０７７９号公報「自動二輪車のヘッドランプ支持装置」や▲２▼実開昭５８−６８３４１号公報「ヘッドライトカバーの取付構造」に示されるものがある。
即ち、上記▲１▼は、同公報の第２図に示される通り、トップブリッジに相当するアッパブラケット５に固定片２３をボルト・ナット２１，２２で固定し、固定片２３の先端に速度計１３を取付けた構造のものである。
【０００３】
上記▲２▼は、同公報の第２図によればヘッドライトを支える支持パイプ５Ａ，５Ｂを上に延長し、支持パイプ５Ａ，５Ｂの上端にメータ支持ステー４を掛け渡し、このメータ支持ステー４に、第１図のごとくメータアセンブリ１０を取付けるものである。
【０００４】
【発明が解決しようとする課題】
上記▲１▼は、固定片２３が片持ち梁となっているため、速度計１３が上下に振れ易い。しかし、速度計１３は精密計器の一種であって振動を嫌う。そこで、固定片２３を曲げ剛性及び撓み剛性に富んだ丈夫な部材としなければならない。この結果、固定片２３の形状や素材に制約を生じることとなり、例えばメータアセンブリ１０の軽量化を目的として樹脂化を検討する際、固定片２３を含めて単純に樹脂で一体成形しようとすれば、その剛性を保つに固定片２３を大型化しなければならず外観商品性が低下する虞れがある。
また、固定片２３のみを金属製として固定片２３の大型化を避けつつ剛性を保とうとすると、樹脂化したメータケースに対して固定片２３のみが金属製別部品となってしまうので、部品点数と組付け工数の増加を招いてしまう。
【０００５】
上記▲２▼では、メータ支持ステー４が支持パイプ５Ａ，５Ｂの上部に「やじろべえ」の如く載っており、メータアセンブリ１０が支持パイプ５Ａ，５Ｂ廻りに振れ易い構造となっている。そこで、振れ抑える為に支持パイプ５Ａ，５Ｂの剛性を一層高める必要がある。
そこで、本発明の目的は構造が簡単で振動に強いメータケース取付け構造を提供することにある。
【０００６】
【課題を解決するための手段】
上記目的を達成するために請求項１は、少なくとも速度計を収納するメータケースを、前照灯を支える前照灯ブラケットと自動二輪車のトップブリッジとに掛け渡し、前照灯ブラケット側の取付部に後方に開いたＵ溝を設け、メータケースの前部をＵ溝に差し込み、メータケースの後部をトップブリッジに取付けたことを特徴とする。
メータケースの一端を前照灯ブラケットに持たせ、他端をトップブリッジに持たせる。両端支持構造であるから、メータケースを良好に支えることができると共に、個々の支持点における負担が軽くなるため、その箇所の薄肉化、軽量化、樹脂化などが可能となる。
即ち、メータケース取付けステーが不要となるので、部品数の削減が図れると共に、片持ち梁の様な振れ易い部材を介さないので、取付け剛性を高めることができる。
【０００７】
請求項２は、メータケースは弾性部材を介して前照灯ブラケット並びにトップブリッジに取付け、且つその取付け箇所は前照灯ブラケットに少なくとも１ヶ所、トップブリッジに少なくとも１ヶ所、全部で少なくとも３ヶ所としたことを特徴とする。
介在させた弾性部材で振動を遮断することができ、しかも取付け時の寸法誤差を吸収させることができる。従って、計器の傷みを防止し、しかも取付け工数の削減が図れる。
【０００８】
請求項３は、メータケースを樹脂製の上ケースと下ケースとで形成し、上ケースと下ケースとの互いの合せ部からメータケースに対して一側方へそれぞれケースを張出して取付け部を形成し、この取付け部をトップブリッジに直接取付けたことを特徴とする。
樹脂の上・下ケースの合せ部から張出し形成した取付け部を、直接トップブリッジに取付ける。取付け部を含めてメータケース全体が樹脂化できたので、メータケースの軽量化が図れる。そして、メータケース取付けステーが不要となるので、部品数の削減が図れる。
【０００９】
【発明の実施の形態】
本発明の実施の形態を添付図に基づいて以下に説明する。なお、図面は符号の向きに見るものとする。また、説明文中、「左」，「右」，「前」，「後」は乗員を基準としたものである。
図１は本発明に係る自動二輪車のメータケース取付け構造の分解斜視図であり、メータケース取付け構造は、自動二輪車のヘッドパイプ上部に取付けるトップブリッジ１１と、このトップブリッジ１１並びに下部のボトムブリッジ１２とに掛け渡たす左右の前照灯ブラケット１３Ｌ，１３Ｒ（Ｌは左、Ｒは右を示す。以下同様。）とを巧みに利用し、メータケース（詳細構造は後述する。）３０の底部の一端をトップブリッジ１１の受け座１４Ｌ，１４Ｒに取付け、メータケース３０の底部の他端を前照灯ブラケット１３Ｌ，１３Ｒ側のＵ溝１５，１５に取付けることを特徴とする。
【００１０】
詳しくは、トップブリッジ１１は、ステアリングステム用孔１１ａと、フロントフォーク用孔１１ｂ，１１ｂとを開けた略三角形の部材であり、その前縁中央にコンビネーションキー用孔１１ｃ、その脇に前照灯ブラケット１３Ｌ，１３Ｒの上端を止める雌ねじ１６，１６、その外に受け座１４Ｌ，１４Ｒを設けたものである。
【００１１】
ボトムブリッジ１２は、ステアリングステム１７と一体の略三角形の部材であり、フロントフォーク用孔１２ａ，１２ａと、前照灯ブラケット１３Ｌ，１３Ｒの下端をラバーマウント１８，１８を介して差込む差込み孔１９，１９とを開けた部材である。
【００１２】
図２は本発明に係る左の前照灯ブラケットの側面図であり、左右の前照灯ブラケット１３Ｌ，１３Ｒは対称形部材であるから、左の前照灯ブラケット１３Ｌを説明し、右の前照灯ブラケット１３Ｒの説明は省略する。
左の前照灯ブラケット１３Ｌは、前照灯固定ボルト用孔２１，２２を有する略三角形の中央部２３から、上に２本の枝（前ブランチ２４と後ブランチ２５）を出し、下に１本の枝を出し、この下ブランチ２６の下端に差込み用ピン２７を形成したものである。
【００１３】
図３は本発明に係る左の前照灯ブラケットの平面図であり、前ブランチ２４の先端を車体センター側へ折り曲げ、そこに後方へ開いたＵ溝１５を設け、また、後ブラケット２５の先端に丸孔２８を開けたことを示す。
【００１４】
図４は本発明に係るメータケースの正面図であり、メータケース３０は少なくとも速度計３１を収納し、その他、回転計３２、各種表示灯３３・・・（・・・は複数個を示す。以下同様。）を収納するものである。３４はキー用孔である。
【００１５】
図５は図４の５−５線断面図であり、この図だけは左が「後」、右が「前」である。
メータケース３０は、樹脂成形した前面側の上ケース３５に、樹脂成形したバック側の下ケース３６を重ねて一体化するものであり、上ケース３５と下ケース３６との互いの合せ部からメータケース３０に対して一側方へ上ケース３５から取付け部３７を延ばし、下ケース３６から取付け部３８を延ばし、これらの取付け部３７，３８に丸孔３９，３９（図４も参照）を開け、各丸孔３９にラバーマウント４１を嵌合し、このラバーマウント４１に予めボルト４２を取付けておく。
また、下ケース３６の下部にスタッドボルト４３，４３（図４も参照）を樹脂に一体取付け、各スタッドボルト４３にラバーマウント４４を嵌めたのち、座金４５を介してナット４６を締め付けておく。
【００１６】
上記の通り、ラバーマウント４１，４４、ボルト４２及びナット４６を予め取付けておくことで、これら小物部品の個数管理が容易となる。組立現場でこれらの小物部品をメータケース３０に取付けるのでは、小物部品の落下、紛失を心配しなければならないが、本実施例ではその心配が無い。加えて、組立現場で小物部品を取付ける必要が無いので、組立工数の削減が図れ、生産能率を高めることができる。
ただし、前記小物部品の一部若しくは全部を、組立現場でメータケース３０に取付けることは差支えない。
【００１７】
以上に述べた自動二輪車のメータケースの取付け手順を次に説明する。
図６は本発明に係る前照灯ブラケット及びメータケースの取付要領図である。前照灯ブラケット１３Ｌの下ブランチ２６のピン２７を、ラバーマウント１８を介してボトムブリッジ１２の差込み孔１９に差込み（矢印▲１▼）、後ブランチ２５の上部をトップブリッジ１１の前縁に合せてボルト４８で締める（矢印▲２▼）ことにより、前照灯ブラケット１３Ｌを強固に車体側に取付ける。
【００１８】
次に、メータケース３０を矢印▲３▼の如くスライドさせることで、Ｕ溝１５にラバーマウント４４の溝を押込む。ナット４６は締っているがラバーマウント４４は弾性部材であるから、良好に変形し、押込みは円滑に行うことができる。
続いてトップブリッジ１１の受け座１４Ｌへ矢印▲４▼のごとくラバーマウント４１を載せ、ボルト４２を廻すことで、固定する。
従って、メータケース取付け作業に限れば、作業者はメータケース３０を矢印▲３▼の如く差込み、矢印▲４▼の如くボルト４２（２本）を捩じ込むだけで、作業は完了する。作業は簡単であり、部品を紛失する心配も無い。
【００１９】
なお、前記ラバーマウント４１，４４は、厚手の軟質樹脂座金、ゴム板、皿ばねなどの弾性部材であればよい。この様な弾性部材を介在させることにより、製作誤差、組付誤差（ボルト４２−ボルト４３間隔の誤差、ボルト４２，４３の相手部材に対する倒れ、ずれなど）を吸収させることができ、組付けが容易になる。
弾性部材を介在させたので、トップブリッジ１１や前照灯ブラケット１３Ｌ，１３Ｒからの車体振動を弾性部材で遮断することができ、メータ類を保護することができる。
【００２０】
更に、図６に示したとおりに、一端をトップブリッジ１１に持たせ、他端を前照灯ブラケット１３Ｌ（及び１３Ｒ）に持たせるという両端支持構造にしたため、メータブラケット３０の取付け部３７，３８などに無理が掛らず、結果として実施例の様にメータケース３０をオール樹脂製にしてトップブリッジ１１に直接取付けることができた。
【００２１】
実施例では、トップブリッジ１１に２点、前照灯ブラケット１３Ｌ，１３Ｒに２点の合計４点で、メータケース３０を取付けた。従って、１点当りの負担が軽くなり、この点からもメータケース３０のオール樹脂化が可能となった。
しかし、「両端支持構造」と安定性とを条件とした場合、トップブリッジ１１に２点、前照灯ブラケット１３Ｌ又は１３Ｒ（前照灯ブラケット１３Ｌ，１３Ｒを一体化した前照灯ブラケットなら尚良い）に１点の合計３点、又はトップブリッジ１１に１点、前照灯ブラケット１３Ｌ，１３Ｒに２点の合計３点であれば、実施例と同等の作用を発揮させることができる。従って、メータケース３０の取付け箇所は前照灯ブラケット１３Ｌ（１３Ｒ）に少なくとも１ヶ所、トップブリッジ１１に少なくとも１ヶ所、全部で少なくとも３ヶ所とすればよい。
【００２２】
また、速度計や回転計をデジタル表示化するなどして運転者から見て横長で、前後の幅のごく小さいメータケースを採用する場合が有り、このときにはメータケース３０を直接トップブリッジ１１に取付けることができ、前照灯ブラケット１３Ｌ，１３Ｒには必ずしも結合を要さない。従って、少なくとも速度計３１を収納するメータケース３０を、自動二輪車のトップブリッジ１１に直接取付けたものであってもよい。
【００２３】
尚、実施例のＵ溝１５は丸孔であってもよい。Ｕ溝１５であれば上述した通りに、メータケース３０の取付けが極めて容易になる。丸孔であれば取付け工数はやや増加するが、取付け後の支持剛性のアップが期待できる。
【００２４】
【発明の効果】
本発明は上記構成により次の効果を発揮する。
請求項１は、少なくとも速度計を収納するメータケースを、前照灯を支える前照灯ブラケットと自動二輪車のトップブリッジとに掛け渡し、前照灯ブラケット側の取付部に後方に開いたＵ溝を設け、メータケースの前部をＵ溝に差し込み、メータケースの後部をトップブリッジに取付けたことを特徴とし、メータケースの一端を前照灯ブラケットに持たせ、他端をトップブリッジに持たせる。両端支持構造であるから、メータケースを良好に支えることができると共に、個々の支持点における負担が軽くなるため、その箇所の薄肉化、軽量化、樹脂化などが可能となる。
即ち、メータケース取付けステーが不要となるので、部品数の削減が図れると共に、片持ち梁の様な振れ易い部材を介さないので、取付け剛性を高めることができる。
【００２５】
請求項２は、メータケースは弾性部材を介して前照灯ブラケット並びにトップブリッジに取付け、且つその取付け箇所は前照灯ブラケットに少なくとも１ヶ所、トップブリッジに少なくとも１ヶ所、全部で少なくとも３ヶ所としたことを特徴とし、介在させた弾性部材で振動を遮断することができ、しかも取付け時の寸法誤差を吸収させることができる。従って、計器の傷みを防止し、しかも取付け工数の削減が図れる。
【００２６】
請求項３では、取付け部を含めてメータケース全体が樹脂化できたので、メータケースの軽量化が図れる。そして、メータケース取付けステーが不要となるので、部品数の削減が図れる。
【図面の簡単な説明】
【図１】本発明に係る自動二輪車のメータケース取付け構造の分解斜視図
【図２】本発明に係る左の前照灯ブラケットの側面図
【図３】本発明に係る左の前照灯ブラケットの平面図
【図４】本発明に係るメータケースの正面図
【図５】図４の５−５線断面図
【図６】本発明に係る前照灯ブラケット及びメータケースの取付要領図
【符号の説明】
１１…トップブリッジ、１２…ボトムブリッジ、１３Ｌ，１３Ｒ…前照灯ブラケット、１４Ｌ，１４Ｒ…受け座、１５…Ｕ溝、３０…メータケース、３１…速度計、３２…回転計、３３…表示灯、３５…上ケース、３６…下ケース、３７…上ケースから延ばした取付け部、３８…下ケースから延ばした取付け部、４１，４４…弾性部材（ラバーマウント）、４２…ボルト、４３…スタッドボルト、４６…ナット。
【図１】
0003830637.tif 000002
【図２】
0003830637.tif 000003
【図３】
0003830637.tif 000004
【図４】
0003830637.tif 000005
【図５】
0003830637.tif 000006
【図６】
0003830637.tif 000007